(57)【要約】【課題】プラスチック等の保護層がある場合にその保護層を剥かなくても通信線を引き留めるための金属線を挟持することができる差し込み式引留具を提供する。【解決手段】差し込み式引留具は、中心に円錐面の貫通穴を有し、貫通穴の小径端側に円錐面から突出した複数の突起部を有し、隣接する突起部の間に軸方向に伸長する所定幅の溝が形成されたケースと、溝に沿って移動可能に配置され、挿入された通信線を引き留めるための金属線の外周面から食い込み、金属線を挟持する鋸歯状突出構造を有する複数のチャック部材と、複数のチャック部材をケースの貫通穴の小径端に押圧するコイルばねと、ケースの貫通穴の大径端に設けられ、コイルばねを付勢させた状態でケースに固定されるキャップと、一端がケースの貫通穴の小径端に引っ掛かると共に他端が外部に露出するように設けられ、金属線の一部を挿通するパイプとを備えている。【選択図】図１
2015077038.tif 000002
【特許請求の範囲】
【請求項１】
中心に円錐面の貫通穴を有し、該貫通穴の小径端側に円錐面から突出した複数の突起部を有し、隣接する突起部の間に所定幅の軸方向に伸長するガイド溝が形成されたケースと、
前記ガイド溝に沿って移動可能に配置され、挿入された通信線を引き留めるための金属線の外周面から食い込み、金属線を挟持する鋸歯状突出構造を有する複数のチャック部材と、
前記複数のチャック部材を前記ケースの貫通穴の小径端に押圧するコイルばねと、
前記ケースの貫通穴の大径端に設けられ、前記コイルばねを付勢させた状態で該ケースに固定されるキャップと、
一端が前記ケースの貫通穴の小径端に引っ掛かると共に他端が外部に露出するように設けられ、前記金属線の一部を挿通するパイプとを備えている差し込み式引留具。
【請求項２】
前記複数のチャック部材が、挿入された通信線を引き留めるための被覆を有する金属線の外周面から食い込み、金属線を挟持する鋸歯状突出構造を有する複数のチャック部材であることを特徴とする請求項１に記載の差し込み式引留具。
【請求項３】
前記複数のチャック部材を括るためのリングをさらに有し、
前記複数のチャック部材の外周面には、前記リングを嵌入するための切り込み溝が形成されていることを特徴とする請求項１又は２に記載の差し込み式引留具。
【請求項４】
前記複数のチャック部材の前記ガイド溝と接触する外周面の少なくとも角部が曲面に形成されていることを特徴とする請求項１から３のいずれか１項に記載の差し込み式引留具。
【請求項５】
前記キャップは、中央部に内側へ突出する突出部が形成され、
前記複数のチャック部材は、前記突出部に対応する端部に外周方向へ傾斜する傾斜面を有し、
前記パイプを介して前記複数のチャック部材が前記キャップ側へ押された際に、前記傾斜面が前記突出部に当接し、前記複数のチャック部材が外周方向へ広がるように構成されていることを特徴とする請求項１から４のいずれか１項に記載の差し込み式引留具。
【請求項６】
前記突出部は、円錐面を有し、前記パイプを介して前記複数のチャック部材が前記キャップ方向へ押された際に、前記傾斜面が前記突出部の円錐面に当接するように構成されていることを特徴とする請求項５に記載の差し込み式引留具。
【請求項７】
前記複数のチャック部材は、所定厚さを有する板状材から形成された３つのチャック部材であり、これらチャック部材は、前記ケースの中心軸線の周りに等角度間隔に配置されていることを特徴とする請求項１から６のいずれか１項に記載の差し込み式引留具。
【発明の詳細な説明】
【技術分野】
【０００１】
本発明は、光ファイバケーブル等の通信線を架設する際に用いられ、光ファイバケーブル等を支持する金属線等を挟持し引き留める差し込み式引留具に関する。
【背景技術】
【０００２】
従来のこの種の通信線用差し込み式引留具は、中心に円錐面の貫通穴を有するケースと、このケースに装着され、挿入された通信線を引き留めるための金属線の外周面を支持するための一対のチャックと、このチャックをケースの貫通穴の一端に固定させるコイルばねと、ケースの前端に設けられ、コイルばねを付勢させた状態で圧着によりケースに固定されるキャップと、ケースの後端に設けられ、通信線を引き留めるための金属線の一部を挿通するパイプとを備えている。
【０００３】
このような通信線用差し込み式引留具を用いて、通信線の引き留め作業を行う場合、通信線を引き留めるための金属線の先端の所定長さのプラスチック製保護層（被覆材）を除去し、金属線を露出させ、露出した金属線をパイプから挿入し、チャックにより挟持する（特許文献１参照）。
【先行技術文献】
【特許文献】
【０００４】
【特許文献１】実開昭５９−１８５９２２号公報
【発明の概要】
【発明が解決しようとする課題】
【０００５】
特許文献１に係る通信線用差し込み式引留具は、通信線等を架設する際に、プラスチック製保護層（被覆材）を一定長さ剥離して金属線を露出させる必要があるので、作業が非常に手数のかかるものであるために工事時間が長くなり作業効率が悪いという問題点があった。
【０００６】
従って、本発明の目的は、通信線等を架設する際に、プラスチック等の保護層（被覆材）がある場合にその被覆材を剥かなくても通信線を引き留めるための金属線を挟持することができる差し込み式引留具を提供することにある。
【課題を解決するための手段】
【０００７】
本発明によれば、差し込み式引留具は、中心に円錐面の貫通穴を有し、貫通穴の小径端側に円錐面から突出した複数の突起部を有し、隣接する突起部の間に軸方向に伸長する所定幅のガイド溝が形成されたケースと、ガイド溝に沿って移動可能に配置され、挿入された通信線を引き留めるための金属線の外周面から食い込み、金属線を挟持する鋸歯状突出構造を有する複数のチャック部材と、複数のチャック部材をケースの貫通穴の小径端に押圧するコイルばねと、ケースの貫通穴の大径端に設けられ、コイルばねを付勢させた状態でケースに固定されるキャップと、一端がケースの貫通穴の小径端に引っ掛かると共に他端が外部に露出するように設けられ、金属線の一部を挿通するパイプとを備えている。
【０００８】
ケース内に装着された複数のチャック部材が、挿入された通信線を引き留めるための金属線の外周面から食い込み、金属線を挟持する鋸歯状突出構造を有することで、金属線に外被がある場合にその外被を剥かなくても通信線を引き留めるための金属線を確実に挟持することができる。チャック部材のチャックを例えば鋼板材をせん断加工で形成すれば、鋭い先端部を有する鋸歯状突出構造を容易に形成することができ、従って、外被に覆われた金属線であってもその外被の上から確実に把持することができる。もちろん、外被のない金属線についても確実に把持することができる。
【０００９】
複数のチャック部材が、挿入された通信線を引き留めるための被覆を有する金属線の外周面から食い込み、金属線を挟持する鋸歯状突出構造を有する複数のチャック部材であることが好ましい。外被に覆われた金属線について、その外被の上から確実に把持することができる。
【００１０】
複数のチャック部材を括るためのリングをさらに有し、複数のチャック部材の外周面には、リングを嵌入するための切り込み溝が形成されていることが好ましい。これにより、複数のチャック部材の動作がバラバラになることがなく、動作を同期させることができる。
【００１１】
複数のチャック部材のガイド溝と接触する外周面の少なくとも角部が曲面に形成されていることも好ましい。これにより、ケースのガイド溝と接触する部分において、応力分散することができ、チャック部材背面のエッジ部がケースに直接に当たり応力集中が働かないようにすることができる。
【００１２】
キャップは、中央部に内側へ突出する突出部が形成され、複数のチャック部材は、突出部に対応する端部に外周方向へ傾斜する傾斜面を有し、パイプを介して複数のチャック部材がキャップ側へ押された際に、傾斜面が突出部に当接し、複数のチャックが外周方向へ広がるように構成されていることも好ましい。これにより、複数のチャックを緩めさせ金属線の挿入位置を調整、又は取り外すことが容易にできる。
【００１３】
突出部は、円錐面を有し、パイプを介して複数のチャック部材がキャップ方向へ押された際に、傾斜面が突出部の円錐面に当接するように構成されていることも好ましい。これにより、複数のチャックを安定して外周方向へ拡張させることができる。
【００１４】
複数のチャック部材は、所定厚さを有する板状材から形成された３つのチャック部材であり、これらチャック部材は、ケースの中心軸線の周りに等角度間隔に配置されていることも好ましい。これにより、挟持強度を確保することができると共に、チャック部材の加工が容易になり、コストの削減を図ることができる。
【発明の効果】
【００１５】
本発明の差し込み式引留具によれば、ケース内に装着された複数のチャック部材が、挿入された通信線を引き留めるための金属線の外周面から食い込み、金属線を挟持する鋸歯状突出構造を有することで、金属線に外被がある場合にその外被を剥かなくても通信線を引き留めるための金属線を確実に挟持することができる。チャック部材のチャックを例えば鋼板材をせん断加工で形成すれば、鋭い先端部を有する鋸歯状突出構造を容易に形成することができ、従って、外被に覆われた金属線であってもその外被の上から確実に把持することができる。そのため、通信線等を架設する際に、プラスチック製保護層（被覆材）を一定長さ剥離して金属線を露出させる作業が必要なく、作業効率を向上することができる。もちろん、外被のない金属線についても確実に把持することができる。
【図面の簡単な説明】
【００１６】
【図１】本発明に係る差し込み式引留具の構成を概略的に示す部分断面図である。
【図２】図１の差し込み式引留具のケースの構成を概略的に示す図である。
【図３】図１の差し込み式引留具のチャック部材の構成を概略的に示す斜視図である。
【図４】図１の差し込み式引留具のキャップの構成を概略的に示す断面図である。
【図５】図１の差し込み式引留具のパイプの構成を概略的に示す断面図である。
【図６】本発明に係る差し込み式引留具の引き留め作業手順を概略的に示す説明図である。
【図７】本発明に係る差し込み式引留具の金属線取り外し作業手順を概略的に示す説明図である。
【発明を実施するための形態】
【００１７】
以下、本発明に係る差し込み式引留具（即ち、Ｃ形差し込み式引留具）の実施形態を、図を参照して説明する。
【００１８】
図１は本発明の一実施形態における差し込み式引留具１００の構成を示しており、図２はケース１０の構成を示しており、図２中（ａ）はケース１０の上面から見た図であり、（ｂ）はケース１０の側面図である。図３はチャック部材２０の構成を示しており、図３中（ａ）はチャック２１の構成を示しており、（ｂ）はチャックホルダ２２の構成を示しており、（ｃ）はチャック２１とチャックホルダ２２との組み立て状態を示している。図４はキャップの構成を示しており、図５はパイプの構成を示している。
【００１９】
図１〜図５に示すように、本実施形態に係る差し込み式引留具１００は、ケース１０と、複数（例えば、３つ）のチャック部材２０と、コイルばね３０と、キャップ４０と、パイプ５０と、リング６０と、Ｕ形ワイヤ７０とを備えている。通信線を引き留めるための金属線Ｗは、例えば、被覆を有するφ２．３ｍｍ又はφ２．６ｍｍの単鋼線である。なお、金属線Ｗの線径はこれに限定されるものではない。
【００２０】
ケース１０は、例えば、亜鉛材料等を用いて鋳造にて形成されており、チャック部材２０が内部に収容される円錐台状となっている。ケース１０は、図２に示すように、中央部に形成されている円錐面の貫通穴からなる収容部１１と、貫通穴の小径端側に円錐面から突出した複数の突起部１２と、隣接する突起部１２の間に所定幅のガイド溝１３と、Ｕ形ワイヤ７０を装着するためのフランジ部１４とを備えている。収容部１１の大径端側にキャップ４０を嵌入するためのキャップ嵌入部１１ａが形成され、収容部１１の小径端側にパイプ５０を挿通するためのパイプ挿通部１１ｂが形成されている。フランジ部１４には、アース線を固定するためのネジ１５が螺入するネジ穴１５ａと、アース線挿入孔１５ｂと、Ｕ形ワイヤ７０を掛止するための切り込み１４ａとが形成されている。この切り込み１４ａはＵ形ワイヤ７０の抜け出しを防止するように構成されている。
【００２１】
チャック部材２０は、図３に示すように、チャック２１と、チャックホルダ２２とを備えている。チャック２１は、チャックホルダ２２とは別個に形成されており、例えば、炭素工具鋼等の板材をせん断加工して形成される。チャック２１の前面（金属線Ｗと接触する面）となる挟持面２１ａが金属線Ｗを挟持する鋭い先端の鋸歯状突出構造に形成され、この鋸歯状突出構造の上端に外周方向へ突出した傾斜面２１ｃが形成されている。チャック２１の背面２１ｂにリング６０を嵌入するための切り込み溝２１ｄが形成されている。また、チャック２１の上端にコイルばね３０を保持するばね保持部２１ｅが形成されている。チャックホルダ２２は、例えば、ステンレス等の板材からプレス加工により形成され、チャック２１を嵌入するための溝２２ａを有している。チャックホルダ２２の外周面の少なくとも角部が所定半径の曲面２２ｂに形成されている。これにより、チャック部材２０はガイド溝１３に沿って収容部１１の円錐面に沿ってスムーズに移動することが可能となる。また、金属線Ｗの被覆の厚さに基づいて鋸歯の高さを適宜に設計することができる。
【００２２】
コイルばね３０は、３つのチャック部材２０のばね保持部２１ｅに装着されて、キャップ４０により付勢され、３つのチャック部材２０を同時にケース１０の貫通穴の小径端に押圧するように構成されている。
【００２３】
キャップ４０は、例えば、加工性に優れた冷間圧延鋼板から形成されており、図４に示すように、ケース１０のキャップ嵌入部１１ａに嵌入するための嵌入部４０ａと、中心部に形成された金属線Ｗを挿通するための挿通孔４０ｂと、挿通孔４０ｂを形成すると共に内側に突出する突出部４０ｃと、コイルばね３０の一端を保持するためにばね保持溝４０ｄとを備えている。突出部４０ｃは、円錐面を有し、パイプ５０を介してチャック部材２０がキャップ１０の方向へ押された際に、チャック２１の傾斜面２１ｃが突出部４０ｃの円錐面に当接することで、３つのチャック２０がスムーズにかつ安定して外周方向へ拡張させるようになっている。
【００２４】
パイプ５０は、例えば、金属材料から形成されている。図５に示すように、パイプ５０の一端が、ケース１０のパイプ挿通部１１ｂに掛止するための凸縁５０ａが形成されている。このパイプ５０は、ケース１０の内部からパイプ挿通部１１ｂを挿通してケース１０に装着される。
【００２５】
リング６０は、３つのチャック部材２０を括るためのものであり、例えば、高炭素鋼線材（硬鋼線材）から形成されている。このリング６０は、３つのチャック部材２０の切り込み溝２１ｄに嵌入するように装着されている。
【００２６】
Ｕ形ワイヤ７０は、ケース１０を電信柱等に引っ掛けるものである。Ｕ形ワイヤ７０の両直線部には、ケース１０の切り込み１４ａに嵌入するためのフラット部７０ａがプレス等の方法でそれぞれ形成されている。また、Ｕ形ワイヤ７０の両直線部の先端にケース１０のフランジ部１４に引っ掛かるための球状部７０ｂが形成されている。
【００２７】
図６は本実施形態の差し込み式引留具１００の引き留め作業手順を示している。同図（ａ）は金属線Ｗが挿入される前の状態を示しており、（ｂ）は金属線Ｗがパイプ５０に挿入され、先端がチャック部材２０に当接する状態を示しており、（ｃ）は金属線Ｗがチャック部材２０を上部まで押し上げた状態を示しており、（ｄ）は金属線Ｗが挿入完了の状態を示しており、（ｅ）はチャック部材２０が金属線Ｗを挟持する状態を示している。
【００２８】
図６に示すように、通信線等を引き留めるための金属線Ｗを引き留める作業を行う際に、まず、図６（ａ）に示すように、差し込み式引留具１００が組み立てられた状態で、金属線Ｗの被覆を除去せず、被覆のままでパイプ５０に挿入する。次いで、図６（ｂ）及び（ｃ）に示すように、パイプ５０を挿通し、チャック部材２０を上部まで押し上げるようにさらに挿入する。この際、チャック部材２０の傾斜面２１ｃの上端がキャップ４０の突出部４０ｃの円錐面に当接するようになっている。次いで、金属線Ｗをさらに押し上げると、チャック２１の傾斜面２１ｃが突出部４０ｃの円錐面に当接することで、図６（ｄ）に示すように、チャック２０が外周方向へ拡張され、金属線Ｗがキャップ４０の挿通孔４０ｂから挿通するようになる。最後に、図６（ｅ）に示すように、金属線Ｗを矢印方向に引っ張ることで、チャック部材２０がケース１０の収容部１１の小径端側に移動すると共に、挟持面２１ａの鋸歯が金属線Ｗの被覆に、さらに金属線Ｗの表面に食い込むことになる。これにより、金属線Ｗが挟持され、引き留める状態になる。
【００２９】
図７は本実施形態の差し込み式引留具１００の金属線取り外し作業手順を示している。同図（ａ）はパイプ５０が押し上げされた状態を示しており、（ｂ）はチャック部材２０が開放する状態を示しており、（ｃ）は金属線Ｗが引き抜かれた状態を示している。
【００３０】
図７に示すように、引き留め状態となっている金属線Ｗを差し込み式引留具１００から取り外す際に、まず、図７（ａ）に示すように、引き留め状態からパイプ５０をケース１０の中へ（図中矢印方向）押し込む。これにより、チャック部材２０がケース１０の収容部１１の上部まで押し上げられる。パイプ５０をさらに押し込むと、チャック２１の傾斜面２１ｃが突出部４０ｃの円錐面に当接することで、図７（ｂ）に示すように、チャック２０が外周方向へ拡張され、挟持面２１ａの鋸歯が金属線Ｗの被覆から抜き出すことになる。次いで、図７（ｃ）に示すように、パイプ５０を押し込んだままで、金属線Ｗをケース１０から引き抜くと、金属線Ｗが差し込み式引留具１００から取り外される。
【００３１】
上述したように、本実施形態の差し込み式引留具１００は、ケース１０と、３つのチャック部材２０と、コイルばね３０と、キャップ４０と、パイプ５０と、リング６０と、Ｕ形ワイヤ７０とを備えている。ケース１０内に装着された複数のチャック部材２０が、挿入された通信線Ｗを引き留めるための被覆を有する金属線Ｗの外周面から食い込み、金属線Ｗを挟持する鋸歯状突出構造を有することで、金属線の被覆材を剥かなくても通信線を引き留めるための金属線Ｗを確実に挟持することができる。そのため、通信線等を架設する際に、金属線Ｗの被覆材を一定長さ剥離して金属線Ｗを露出させる作業が必要なく、作業効率を向上することができる。チャック２１がチャックホルダ２２とは別個に形成されているため、チャック２１を例えば鋼板材をせん断加工で形成することにより、鋭い先端部を有する鋸歯状突出構造を容易に形成することが可能となり、従って、金属線Ｗを被覆を介して確実に把持することができる。
【００３２】
また、差し込み式引留具１００は、３つのチャック部材２０を括るためのリング６０を有し、かつ３つのチャック部材２０の外周面には、リング６０を嵌入するための切り込み溝２１ｄが形成されていることで、３つのチャック部材２０の動作がバラバラになることがなく、動作を同期させることができる。
【００３３】
また、チャックホルダ２２のガイド溝１３と接触する外周面の角部が曲面に形成されていることで、ケース１０のガイド溝１３と接触する部分において、応力分散することができ、チャック部材２０の背面のエッジ部がケースに直接に当たり応力集中が働かないようにすることができる。
【００３４】
また、キャップ４０は、中央部に内側へ突出する突出部４０ｃが形成され、３つのチャック部材２０は、突出部４０ｃに対応する側に外周方向へ傾斜する傾斜面２１ｃを有し、パイプ５０を介して３つのチャック部材２０がキャップ４０側へ押された際に、傾斜面２１ｃが突出部４０ｃに当接し、３つのチャック２０が外周方向へ開放されることで、３つのチャック部材２０を緩めさせ金属線Ｗの挿入位置を調整、又は取り外すことが容易にできる。
【００３５】
突出部４０ｃは、円錐面を有し、パイプ５０を介して複数のチャック部材２０がキャップ４０方向へ押された際に、傾斜面２１ｃが突出部４０ｃの円錐面に当接することで、複数のチャック部材２０を安定して外周方向へ拡張させることができる。
【００３６】
所定厚さを有する板状材から形成された３つのチャック部材２０は、ケース１０の中心軸線の周りに等角度間隔に配置されていることで、挟持強度を確保することができると共に、チャック部材２０の加工が容易になり、コストの削減を図ることができる。
【００３７】
なお、上述した実施形態の差し込み式引留具１００においては、３つのチャック部材２０を有するものとしたが、本発明はこれに限定されるものではない。例えば、２つ又は４つ以上のチャック部材２０を用いてもよい。
【００３８】
また、上述した実施形態の差し込み式引留具１００において、被覆を有する金属線Ｗを引き留める例を説明したが、本発明はこれに限定されるものではない。被覆のない金属線にも適用できる。
【００３９】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００４０】
本発明は、通信線等を架設する際に、通信線を引き留めるための金属線等を挟持し引き留める引留具の操作性を向上する目的に利用できる。
【符号の説明】
【００４１】
１０  ケース
１１  収容部
１１ａ  キャップ嵌入部
１１ｂ  パイプ挿通部
１２  突起部
１３  ガイド溝
１４  フランジ部
１４ａ  切り込み
１５  ネジ
１５ａ  ネジ穴
１５ｂ  アース線挿入孔
２０  チャック部材
２１  チャック
２１ａ  挟持面
２１ｂ  背面
２１ｃ  傾斜面
２１ｄ  切り込み溝
２１ｅ  ばね保持部
２２  チャックホルダ
２２ａ  溝
２２ｂ  曲面
３０  コイルばね
４０  キャップ
４０ａ  嵌入部
４０ｂ  挿通孔
４０ｃ  突出部
４０ｄ  ばね保持溝
５０  パイプ
５０ａ  凸縁
６０  リング
７０  Ｕ形ワイヤ
７０ａ  フラット部
７０ｂ  球状部
１００  差し込み式引留具
【図１】
2015077038.tif 000003
【図２】
2015077038.tif 000004
【図３】
2015077038.tif 000005
【図４】
2015077038.tif 000006
【図５】
2015077038.tif 000007
【図６】
2015077038.tif 000008
【図７】
2015077038.tif 000009